(57)【要約】【課題】供給された音声信号を損なうことなく、かつ、接続されたスピーカーの全部を有効に活用することができるようにする。【解決手段】入力音声信号のチャンネル構成と出力チャンネル構成とに応じて決まる変換情報の提供を制御部から受け、この変換情報をチャンネル変換部３を構成する各増幅器に設定するようにし、エクステンション部３１とダウンミックス部３２とが協働することによって、入力音声信号の各チャンネルの音声信号から、出力チャンネル構成に応じた各出力チャンネル用の音声信号を形成し、各出力チャンネルに出力する。【選択図】        図２
2004312484.tif 000002
【特許請求の範囲】
【請求項１】
入力音声信号のチャンネル構成とスピーカーが接続された出力チャンネルの構成である出力チャンネル構成とにより決まる変換情報の供給を受けて、前記変換情報に基づき、前記入力音声信号の各チャンネルの音声信号から前記出力チャンネル構成に応じた各出力チャンネルの音声信号を形成する形成手段を備えることを特徴とする音響変換装置。
【請求項２】
請求項１に記載の音響変換装置であって、
前記形成手段は、供給される音声信号のチャンネル数以上のチャンネル数分の音声信号を形成する部分と、供給される音声信号のチャンネル数以下のチャンネル数分の音声信号を形成する部分とからなることを特徴とする音響変換装置。
【請求項３】
請求項１または請求項２に記載の音響変換装置であって、
前記入力音声信号の前記チャンネル構成と前記出力チャンネル構成とに応じて異なる複数の前記変換情報を記憶する記憶手段と、
入力音声信号のチャンネル構成を判別する判別手段と、
自機の出力チャンネル構成を把握する把握手段と
を備え、
前記形成手段は、前記判別手段により判別された前記チャンネル構成と前記把握手段により把握された前記出力チャンネル構成とにより決まる前記記憶手段の前記変換情報を用いて、前記各出力チャンネルの音声信号を形成することを特徴とする音響変換装置。
【請求項４】
請求項３に記載の音響変換装置であって、
前記把握手段は、使用者からの設定入力を受け付けて、自機の出力チャンネル構成を把握することを特徴とする音響変換装置。
【請求項５】
請求項３に記載の音響変換装置であって、
前記把握手段は、スピーカーの接続状態を検出することにより、自機の出力チャンネル構成を把握することを特徴とする音響変換装置。
【請求項６】
入力音声信号のチャンネル構成とスピーカーが接続された出力チャンネルの構成である出力チャンネル構成とにより決まる変換情報の供給を受け付けるステップと、
受け付けた前記変換情報に基づいて、前記入力音声信号の各チャンネルの音声信号から前記出力チャンネル構成に応じた各出力チャンネルの音声信号を形成する形成ステップと
を有することを特徴とする音響変換方法。
【請求項７】
請求項６に記載の音響変換方法であって、
前記形成ステップにおいては、
供給される音声信号のチャンネル数以上のチャンネル数の音声信号を形成する工程と、形成した音声信号のチャンネル数以下のチャンネル数の音声信号を形成する工程とを通じて、あるいは、供給される音声信号のチャンネル数以下のチャンネル数の音声信号を形成する工程と、形成した音声信号のチャンネル数以上のチャンネル数の音声信号を形成する工程とを通じて、目的とする出力チャンネル構成に応じたチャンネル数の音声信号を形成することを特徴とする音響変換方法。
【請求項８】
請求項６または請求項７に記載の音響変換方法であって、
入力音声信号のチャンネル構成を判別する判別ステップと、
自機の出力チャンネル構成を把握する把握ステップと、
前記判別ステップにおいて判別した前記チャンネル構成と、前記把握ステップにおいて把握した前記出力チャンネル構成とに基づいて、用いる前記変換情報を記録媒体から取得する取得ステップと
を有し、
前記形成ステップにおいては、前記取得ステップにおいて取得した前記変換情報を用いて、前記各出力チャンネルの音声信号を形成することを特徴とする音響変換方法。
【請求項９】
請求項８に記載の音響変換方法であって、
前記把握ステップにおいては、使用者からの設定入力を受け付けて、自機の出力チャンネル構成を把握することを特徴とする音響変換方法。
【請求項１０】
請求項８に記載の音響変換方法であって、
前記把握ステップにおいては、スピーカーの接続状態を検出することにより、自機の出力チャンネル構成を把握することを特徴とする音響変換方法。
【発明の詳細な説明】
【０００１】
【発明の属する技術分野】
この発明は、例えば、モノラル音声信号、２チャンネル音声信号、マルチチャンネル音声信号等の種々のチャンネル構成の音声信号を処理する音響変換装置、音響変換方法に関する。
【０００２】
【従来の技術】
音楽ソースの供給源として広く用いられているものとして、通常の音楽用ＣＤであるＣＤ−ＤＡ（Ｃｏｍｐａｃｔ  Ｄｉｓｃ  Ｄｉｇｉｔａｌ  Ａｕｄｉｏ）と、次世代音楽ＣＤとしてＳＡＣＤ（Ｓｕｐｅｒ  Ａｕｄｉｏ  Ｃｏｍｐａｃｔ  Ｄｉｓｃ）とがある。ＣＤ−ＤＡは、サンプリング周波数４４．１ｋＨｚ、量子化ビット数１６ビットのＰＣＭ（Ｐｕｌｓｅ  Ｃｏｄｅ  Ｍｏｄｕｌａｔｉｏｎ）ステレオのデジタルオーディオ信号（ＣＤ音声信号）が記録されたものである。また、ＳＡＣＤは、２層構造とされ、上側の層に上述したいわゆるＣＤ音声信号が記録され、下側の層にウルトラ・ハイファイのＤＳＤ（Ｄｉｒｅｃｔ  Ｓｔｒｅａｍ  Ｄｉｇｉｔａｌ）音声信号が記録されたものである。
【０００３】
このように、ＣＤ−ＤＡとＳＡＣＤとは、ＣＤ音声信号とＤＳＤ音声信号と言うように、信号フォーマットが異なるものであるが、ＳＡＣＤが２層構造をとることにより、完全な双方向の互換性が保たれている。そして、ＳＡＣＤプレーヤを用いることにより、ＣＤ−ＤＡを再生したときには、アナログ２チャンネル音声信号がアナログ２チャンネル出力端子に出力され、ＳＡＣＤを再生したときには、アナログマルチ音声信号をアナログマルチ出力端子に出力することができるようにされる。
【０００４】
しかしながら、ＳＡＣＤプレーヤが接続される従来のオーディオアンプ装置においては、ＳＡＣＤプレーヤのアナログ２チャンネル出力端子から出力されたアナログ２チャンネル音声信号を再生するのか、ＳＡＣＤプレーヤのアナログマルチ出力端子から出力されたアナログマルチ音声信号を再生するのかをユーザー自身が切り換えるようにしなければならないため、特にオーディオ機器の操作に不慣れなユーザーにとっては使い勝手が悪い場合があった。
【０００５】
このような問題を解決するため、特許文献１（特開２００２−３５４５７４号公報）には、自機に供給される信号フォーマットの異なる複数の音声信号のうち、どのフォーマットの音声信号が供給されたかを判別し、供給された音声信号を再生するように、自動的に音声信号の選択を行うようにする技術が開示されている。
【０００６】
この特許文献１に記載の技術によれば、ユーザーの手を煩わせることなく、自機に供給された音声信号を再生するように、自動的に再生すべき音声信号の選択を行うので、例えオーディオ機器の操作に不慣れなユーザーであっても、迅速かつスムースにＣＤ−ＤＡやＳＡＣＤに記録されている音声信号の再生音声を聴取することができるようにされる。
【０００７】
【特許文献１】
特開２００２−３５４５７４号公報
【０００８】
【発明が解決しようとする課題】
ところで、上述したＳＡＣＤプレーヤのように、フォーマットの異なる音声信号を異なる出力端子から出力するのではなく、フォーマットの異なる種々の音声信号をデジタルデータとして同じ経路を通じて出力するようにする場合も多くなってきている。
【０００９】
最近では、例えば、ドルビーデジタル（Ｄｏｌｂｙ  Ｄｉｇｉｔａｌ（登録商標））、ｄｔｓ（Ｄｉｇｉｔａｌ  Ｔｈｅａｔｅｒ  Ｓｙｓｔｅｍ（登録商標））などといった種々のいわゆるマルチチャンネルフォーマットのオーディオストリームが広く用いられるようになってきている。マルチチャンネルフォーマットには上述したものの他にも種々のものがあり、また、音声信号のチャンネル構成もさまざまである。
【００１０】
ここで、ｎを聴取者の前方側（フロント側）に配置されるスピーカーのチャンネル数、ｍを聴取者の後方側（リア側）に配置されるスピーカーのチャンネル数とし、全体のチャンネル構成を［ｎ／ｍ］で表すようにすると、［１／０］、［２／０］、［２／１］、［２／２］、［３／０］、［３／１］、［３／２］、［３／３］等、種々のチャンネル構成を取る場合がある。
【００１１】
この場合、［１／０］は、チャンネル構成がセンターチャンネルのみ（いわゆるモノラル構成）であることを示しており、［２／０］は、チャンネル構成がフロント２チャンネルのみ（いわゆるステレオ構成）であることを示している。なお、［＊／１］は、リアチャンネルがモノラルであることを表すが、一般にリアの出力は、０チャンネル（リアスピーカーなし）か、２チャンネル以上である場合がほとんどである。
【００１２】
このように、再生すべき音声信号のチャンネル構成は種々の場合がある。そして、ユーザーが用いるマルチチャンネル再生のためのオーディオ機器のスピーカーのセッティング状態（出力チャンネル構成）も、上述した場合と同様に、［前方側（フロント側）チャンネル数ｎ／後方側（リア側）チャンネル数ｍ］で表すと、［２／０］、［３／０］、［２／２］、［３／２］、［３／３］、［３／４］など、多くのケースが考えられる。
【００１３】
したがって、再生しようとしている音声信号のチャンネル構成と、ユーザーのオーディオ機器のスピーカーが接続されたチャンネルの構成（出力チャンネル構成）とが必ずしも一致しない。このため、スピーカーの接続状態にかかわらず、ストリームによっては全く鳴らないスピーカーが存在しうることになる。
【００１４】
例えば、チャンネル構成が［２／０］の音声信号を、出力チャンネル構成が［３／２］のオーディオ機器で再生するようにした場合には、フロントの２チャンネル以外のチャンネルのスピーカーからは全く音が出ず、センタースピーカーとリアスピーカーが無駄になっている。また、音が出ないスピーカーがあることは、オーディオ機器の故障などと勘違いする場合がある。
【００１５】
以上のことにかんがみ、この発明は、接続されたスピーカーの全部を有効に活用することができるようにするとともに、供給された音声信号を損なうことがないようにする音響変換装置および音響変換方法を提供することを目的とする。
【００１６】
【課題を解決するための手段】
上記課題を解決するため、請求項１に記載の発明の音響変換装置は、
入力音声信号のチャンネル構成と自機の出力チャンネル構成とにより決まる変換情報の供給を受けて、前記変換情報に基づき、前記入力音声信号の各チャンネルの音声信号から前記出力チャンネル構成に応じた各出力チャンネルの音声信号を形成する形成手段を備えることを特徴とする。
【００１７】
この請求項１に記載の音響変換装置によれば、入力音声信号のチャンネル構成と出力チャンネル構成とに応じて決まる変換情報の提供を受け、この変換情報に基づいて、入力音声信号の各チャンネルの音声信号から、出力チャンネル構成に応じた各出力チャンネル用の音声信号が形成される。
【００１８】
これにより、供給される入力音声信号のチャンネル構成にかかわらず、また、用いるオーディオ機器のスピーカーが接続されたチャンネルの構成である出力チャンネル構成にかかわらず、その出力チャンネル構成に応じた各出力チャンネル用の音声信号が形成される。したがって、入力音声信号を有効に活用することができるとともに、スピーカーを無駄なく使用することができる。また、音の出ないスピーカーが生じることにより、オーディオ機器の故障と間違うなどの不都合を生じることもないようにされる。
【００１９】
【発明の実施の形態】
以下、図を参照しながら、この発明による装置、方法の一実施の形態について説明する。以下に説明する実施の形態においては、この発明による装置、方法の一実施の形態をオーディオアンプ装置に適用した場合を例にして説明する。
【００２０】
［オーディオアンプ装置の機能の概要］
以下に説明する実施の形態のオーディオアンプ装置は、出力チャンネルとして、前方側（フロント側）３チャンネル、後方側（リア側）４チャンネルの合わせて７チャンネル分を備えたものである。しかし、全ての出力チャンネルを必ず使用する必要はなく、ユーザーの好み等に応じて、任意の出力チャンネルにスピーカーを接続して用いることができるものである。
【００２１】
すなわち、この実施の形態のオーディオアンプ装置は、実際にスピーカーが接続される出力チャンネルの構成である出力チャンネル構成としては、［前方側チャンネルｎ／後方側チャンネル数ｍ］で表現すると、［２／０］、［３／０］、［２／２］、［３／２］、［３／３］、［３／４］等の任意の出力チャンネル構成をとることができるようにされたものである。
【００２２】
しかし、この実施の形態のオーディオアンプ装置に供給される入力音声信号（この実施の形態においては、デジタルオーディオストリーム）は、ＰＣＭ、ドルビーデジタル、ｄｔｓ等、種々のフォーマットのものが想定され、チャンネル構成も種々の場合があるので、入力音声信号のチャンネル構成と出力チャンネル構成とが一致しない場合が発生する。
【００２３】
そこで、この実施の形態のオーディオアンプ装置においては、入力音声信号のチャンネル構成と、実際にスピーカーが接続された自機の出力チャンネルの構成である出力チャンネル構成とに基づいて、どのようなチャンネル構成の入力音声信号が供給された場合であっても、その入力音声信号から自機の出力チャンネル構成に合致した出力チャンネルのそれぞれについての出力音声信号を形成することができるようにしたものである。換言すれば、入力音声信号についてチャンネル変換を行うことにより、自機の出力チャンネル構成に合致する出力音声信号を形成することができるようにしたものである。
【００２４】
［オーディオアンプ装置の構成と動作］
図１は、この発明による装置、方法の一実施の形態が適用された、この実施の形態のオーディオアンプ装置を説明するためのブロック図である。図１に示すように、この実施の形態のオーディオアンプ装置は、デジタルオーディオ信号の入力端子１、音声データデコード部２、チャンネル変換部３、マルチ音声チャンネルに対応したスピーカー部４、制御部５、キー操作部６を備えたものである。
【００２５】
制御部５は、図１に示したように、ＣＰＵ（Ｃｅｎｔｒａｌ  Ｐｒｏｃｅｓｓｉｎｇ  Ｕｎｉｔ）５１、ＲＯＭ（Ｒｅａｄ  Ｏｎｌｙ  Ｍｅｍｏｒｙ）５２、ＲＡＭ（Ｒａｎｄｏｍ  Ａｃｃｅｓｓ  Ｍｅｍｏｒｙ）５３、不揮発性メモリー５４が、システムバス５５を通じて接続されて構成されたマイクロコンピュータであり、この実施の形態のオーディオアンプ装置の各部を制御することができるものである。
【００２６】
ここで、ＲＯＭ５２は、この実施の形態のオーディオアンプ装置に応じて実行する種々のプログラムや処理に必要なデータ等が記憶されたものであり、ＲＡＭ５３は、処理の途中結果を保持するなど、主に作業領域として用いられるものである。また、不揮発性メモリーは、電源が落とされても記憶情報を保持しておくことができるものであり、例えば、設定パラメータなどが記憶保持される。
【００２７】
そして、入力端子１を通じて受け付けた、例えば、ＣＤ（Ｃｏｍｐａｃｔ  Ｄｉｓｃ）プレーヤ、ＤＶＤ（Ｄｉｇｉｔａｌ  Ｖｅｒｓａｔｉｌｅ  Ｄｉｓｃ）プレーヤなどの各種のデジタル機器から供給されるデジタル音声信号（オーディオストリーム）は、音声データデコード部２に供給される。
【００２８】
音声データデコード部２は、制御部５からの制御に応じて動作し、これに供給された入力音声信号である所定のフォーマットのデジタルオーディオストリームをそのフォーマットに応じてデコードし、入力音声信号のチャンネル構成を判別するとともに、チャンネル構成に応じた各チャンネルのデコード後の音声信号を分離するようにする。
【００２９】
そして、音声データデコード部２は、判別した入力音声信号のチャンネル構成を示す情報と、当該入力音声信号のチャンネル構成に応じて各チャンネル毎に分離したデコード後の音声信号とを、チャンネル変換部３に供給する。
【００３０】
なお、音声データデコード部２は、集積回路（ＩＣ）とし構成された種々のものを用いることにより実現することができる。例えば、富士通株式会社製のＩＣである型番ＭＢ８６３４７、ＭＢ８６３４９、ＭＢ８６Ｄ４２、ＭＢ８６Ｄ４１などを音声データデコード部２として用いることが可能である。
【００３１】
これらのＩＣは、ＰＣＭ、ドルビーデジタル、ｄｔｓ、ＡＡＣ（Ａｄｖａｎｃｅｄ  Ａｕｄｉｏ  Ｃｏｄｉｎｇ）等の信号フォーマットのデジタルオーディオストリームをデコードし、そのデジタルオーディオストリームのチャンネル構成に応じたチャンネルのデコード後の音声信号（音声データ）を出力することができるものである。
【００３２】
チャンネル変換部３は、この実施の形態においては、ＤＳＰ（Ｄｉｇｉｔａｌ  Ｓｉｇｎａｌ  Ｐｒｏｃｅｓｓｏｒ）として構成されたものであり、音声データデコード部２において判別された入力音声信号のチャンネル構成を示す情報と自機の出力チャンネル構成との２つの情報に応じて決まる変換情報の供給を制御部５から受けて、この変換情報に基づいて、音声データデコード部２から供給される各チャンネルの音声信号（入力音声信号）からスピーカーが接続された各出力チャンネルに送出する出力音声信号を形成する。
【００３３】
具体的に説明すると、チャンネル変換部３は、上述したように、音声データデコード部２から入力音声信号のチャンネル構成を示す情報と、入力音声信号のチャンネル構成に応じた各チャンネルの音声信号との供給を受ける。そして、入力音声信号のチャンネル構成を示す情報を制御部５に供給して、制御部５に対してチャンネル変換に用いる変換情報の提供を要求する。
【００３４】
制御部５は、スピーカーが接続された出力チャンネルの構成、すなわち出力チャンネル構成についての設定情報をキー操作部６を通じて受け付けて、この受け付けた出力チャンネル構成についての設定情報を不揮発性メモリー５４に記憶保持するようにしている。また、例えば不揮発性メモリー５４に、入力音声信号のチャンネル構成と出力チャンネル構成とに基づいて決まり、チャンネル変換部３に供給するようにする複数の変換情報を記憶保持している。
【００３５】
制御部５は、チャンネル変換部３を通じて提供される入力音声信号のチャンネル構成を示す情報と、不揮発性メモリー５４に保持している自己の出力チャンネル構成を示す設定情報とに基づいて、不揮発性メモリー５４に保持されている複数の変換情報の中から目的とする変換情報を取得し、これをチャンネル変換部３に供給する。
【００３６】
そして、チャンネル変換部３は、音声データデコード部２からの各チャンネルの入力音声信号について、制御部５からの変換情報に基づく変換処理を施すことにより、自機の出力チャンネル構成に応じた各出力チャンネル用の出力音声信号を形成し、形成した出力音声信号を対応する出力チャンネルに接続されたスピーカーに供給する。
【００３７】
このように、この実施の形態のオーディオアンプ装置は、最大７チャンネルの範囲内で任意の出力チャンネル構成をとることが可能なものであり、スピーカー部４の構成としては、出力チャンネル構成に対応して、［フロント側チャンネルｎ／リア側チャンネル数ｍ］で表せば、［２／０］、［３／０］、［２／２］、［３／２］、［３／３］、［３／４］等の任意の構成とすることができる。もちろんこれ以外にも、［１／０］、［２／１］、［３／１］等の通常はあまり用いられることのない構成とすることも可能である。
【００３８】
そして、この実施の形態のオーディオアンプ装置は、入力音声信号のチャンネル構成と、スピーカーが接続された出力チャンネルの構成である出力チャンネル構成とが一致していなくても、自機の出力チャンネル構成に応じた各出力チャンネル用の出力音声信号を形成し、これを出力チャンネル構成に応じてスピーカーが接続された各出力チャンネルに出力することができるようにしている。
【００３９】
このようにすることによって、入力音声信号のチャンネル構成と、スピーカーが接続される出力チャンネルの構成である出力チャンネル構成とが異なっていても、音声の放音を行わないスピーカーが生じたり、入力音声信号を効率よく使用していなかったりするなどの不都合を生じさることがないようにしている。
【００４０】
なお、この実施の形態においては、チャンネル変換部３が、出力チャンネルの音声信号を形成する形成手段に相当し、不揮発性メモリー５４が変換情報を記憶する記憶手段に相当し、音声データデコード部２が、入力音声信号のチャンネル構成を判別する判別手段に相当する。また、制御部５と不揮発性メモリー５４の機能により、出力チャンネル構成を把握する把握手段を構成するようにしている。
【００４１】
［チャンネル変換部の構成と動作について］
次に、この実施の形態のチャンネル変換部３の具体的な構成例について説明する。図２は、ＤＳＰとして構成されるチャンネル変換部３の機能について説明するための図である。この実施の形態のチャンネル変換部３は、大きく分けると、エクステンション部３１とダウンミックス部３２とからなっている。
【００４２】
エクステンション部３１は、音声信号が供給された各チャンネルの音声信号を分配したり、混合したりすることにより、音声が供給されたチャンネル数以上のチャンネル数分のそれぞれの音声信号を形成するエクステンション（Ｅｘｔｅｎｓｉｏｎ）機能を実現する部分である。
【００４３】
また、ダウンミックス部３２は、音声信号が供給された各チャンネルの音声信号を混合するなどして、音声が供給されたチャンネル数以下のチャンネル数分のそれぞれの音声信号を形成するダウンミックス（Ｄｏｗｎｍｉｘ）機能を実現する部分である。
【００４４】
エクステンション部３１は、図２に示すように、左前方チャンネル（左フロントチャンネル）Ｌ、センターチャンネルＣ、右前方チャンネル（右フロントチャンネル）Ｒ、左後方チャンネル（左サラウンドチャンネル）ＳＬ、右後方チャンネル（右サラウンドチャンネル）ＳＲ、左後方サブチャンネル（左サラウンドバックチャンネル）ＳＢＬのそれぞれに対応する６つの入力端子を備えている。
【００４５】
なお、一般に、左前方チャンネルＬは、聴取者の左前方に配置されるスピーカーに供給する音声信号のチャンネルであり、右前方チャンネルＲは、聴取者の右前方に配置されるスピーカーに供給する音声信号のチャンネルであり、センターチャンネルＣは、聴取者の正面に配置されるスピーカーに供給する音声信号のチャンネルである。
【００４６】
また、左後方チャンネルＳＬは、聴取者の左後方に配置されるスピーカーに供給する音声信号のチャンネルであり、右後方チャンネルＳＲは、聴取者の右後方に配置されるスピーカーに供給する音声信号のチャンネルである。また、本来、左後方サブチャンネルＳＢＬは、聴取者の左後方に配置されるスピーカーに供給する音声信号のチャンネルであり、聴取者の右後方に配置されるスピーカーに供給する音声信号のチャンネルである右後方サブチャンネルＳＢＲと対になって用いるようにされるものである。
【００４７】
なお、この実施の形態において、左後方サブチャンネルＳＢＬは、この実施の形態においては、後述もするように、後方センターチャンネルとしての位置付けで用いられるようにされる場合もある。
【００４８】
また、エクステンション部３１の各チャンネルには、混合器（ミキサー）１１〜１７の機能を設けている。すなわち、図２に示すように、エクステンション部３１において、左前方チャンネルＬ、センターチャンネルＣ、右前方チャンネルＲ、左後方チャンネルＳＬ、右後方チャンネルＳＲ、左後方サブチャンネルＳＢＬのそれぞれには、対応する１つの混合器１１、混合器１２、混合器１３、混合器１４、混合器１５、混合器１６を設けるようにするとともに、新たに形成される右後方サブチャンネルＳＢＲ用として混合器１７を設けるようにしている。
【００４９】
そして、各入力端子と各混合器との間には、必要に応じて可変増幅器（アンプ）の機能を設けている。すなわち、図２に示すように、センターチャンネルＣの入力端子と混合器１１、１３、１４、１５、１６、１７とのそれぞれの間には、それぞれに対応する１つの増幅器ＫＣＬ、ＫＣＲ、ＫＣＳＬ、ＫＣＳＲ、ＫＣＢＬ、ＫＣＢＲを設けるようにしている。
【００５０】
また、左前方チャンネルＬの入力端子と混合器１２、１４、１６とのそれぞれの間には、それぞれに対応する１つの増幅器ＫＣＬ、ＫＬＳＬ、ＫＬＢＬを設けるようにしており、右前方チャンネルＲの入力端子と混合器１２、１５、１７とのそれぞれの間には、それぞれに対応する１つの増幅器ＫＲＣ、ＫＲＳＲ、ＫＲＢＲを設けるようにしている。
【００５１】
また、左後方チャンネルＳＬの入力端子と混合器１６との間には、増幅器ＫＳＬＢＬを設けるようにしており、右後方チャンネルＳＲの入力端子と混合器１７との間には、増幅器ＫＳＲＢＲを設けるようにしており、また、左後方サブチャンネルＳＢＲの入力端子と混合器１７との間には、増幅器ＫＢＬＢＲを設けるようにしている。
【００５２】
このように、この実施の形態のエクステンション部３１は、６チャンネル分の入力端子を備え、７個の混合器の機能と、１５個の増幅器の機能とからなり、左前方チャンネルＬ、センターチャンネルＣ、右前方チャンネルＲ、左後方チャンネルＳＬ、右後方チャンネルＳＲ、左後方サブチャンネルＳＢＬ、右後方サブチャンネルＳＢＲの７チャンネル分の出力端を有する構成としたものである。
【００５３】
また、この実施の形態において、ダウンミックス部３２は、エクステンション部３１の後段に設けられ、エクステンション部３１の７つの出力チャンネルに対応して、左前方チャンネルＬ、センターチャンネルＣ、右前方チャンネルＲ、左後方チャンネルＳＬ、右後方チャンネルＳＲ、左後方サブチャンネルＳＢＲ、右後方サブチャンネルＳＢＲの音声信号の供給を受けることができるようにされている。また、各チャンネルに対応して、７つの出力端子が設けられる。
【００５４】
そして、ダウンミックス部３２においては、図２に示すように、混合器２１〜２４の機能を設けている。すなわち、図２に示すように、左前方チャンネルＬの出力端子の前段には混合器２１を、右前方チャンネルＲの出力端子の前段には混合器２２を、左後方チャンネルＳＬの出力端子の前段には混合器２３を、右後方チャンネルＳＲの出力端子の前段には混合器２４をそれぞれ設けるようにしている。
【００５５】
また、ダウンミックス部３２においても、必要に応じて、可変増幅器の機能を設けるようにしている。すなわち、図２に示すように、混合器２１、２２のそれぞれの前段には、増幅器Ｋｆを設けるようにし、センターチャンネルＣの出力端子の前段には増幅器Ｋｃを設けるようにしている。また、混合器２３、２４のそれぞれの前段には増幅器Ｋｓを設けるようにし、左後方サブチャンネルＳＢＲ、右後方サブチャンネルＳＢＲのそれぞれの出力端子の前段には増幅器Ｋｂを設けるようにしている。
【００５６】
さらに、図２に示すように、ダウンミックス部３２における右後方サブチャンネルＳＢＲの入力端と混合器２２、２４とのそれぞれの間には、それぞれに対応する１つの増幅器Ｋｂｒｆｒ、Ｋｂｒｓｒを設けるようにしている。また、ダウンミックス部３２における左後方サブチャンネルＳＢＬの入力端と混合器２１、２２、２３、２４とのそれぞれの間には、それぞれに対応する１つの増幅器Ｋｂｌｆｌ、Ｋｂｌｆｒ、Ｋｂｌｓｌ、Ｋｂｌｓｒを設けるようにしている。
【００５７】
また、図２に示すように、ダウンミックス部３２における右後方チャンネルＳＲの入力端と混合器２２との間、および、ダウンミックス部３２における左後方チャンネルＳＬの入力端と混合器２１との間のそれぞれには、増幅器Ｋｓｆを設けるようにしており、また、ダウンミックス部３２におけるセンターチャンネルＣの入力端と混合器２１、２２との間には、１つの増幅器Ｋｃｆを設けるようにしている。
【００５８】
このように、この実施の形態のダウンミックス部３２は、エクステンション部３１からの信号を受け付ける７チャンネル分の入力端と、４個の混合器の機能と、１６個の増幅器の機能とからなり、左前方チャンネルＬ、センターチャンネルＣ、右前方チャンネルＲ、左後方チャンネルＳＬ、右後方チャンネルＳＲ、左後方サブチャンネルＳＢＬ、右後方サブチャンネルＳＢＲの７チャンネル分の出力端子を備えるものである。
【００５９】
そして、エクステンション部３１、ダウンミックス部３２のそれぞれの各増幅器は、制御部からの変換情報に応じて、各増幅器毎に増幅係数を設定することによりそれらに供給される音声信号の信号レベルを調整することができるようにされている。そして、各混合器において、これに供給された音声信号が混合されて出力するようにされる。
【００６０】
なお、各増幅器においての処理は、具体的には以下のようになる。すなわち、増幅係数として０（ゼロ）が設定された増幅器においては、係数が０であるので、出力される音声信号の信号レベルは０（ゼロ）となり、結果として音声信号は出力しない。また、増幅係数として１が設定された増幅器においては、係数が１であるので、供給された音声信号を供給された信号レベルのまま出力する。また、増幅係数として、０（ゼロ）より大きい値が設定された増幅器においては、その値に応じた信号レベルの音声信号を出力する。
【００６１】
このように構成されるエクステンション部３１とダウンミックス部３２との機能により、この実施の形態のチャンネル変換部３は、入力音声信号のチャンネル構成がどのような構成であっても、自機の出力チャンネル構成に応じて、用いられることになる出力チャンネルのそれぞれに対する音声信号を形成することができるようにしている。
【００６２】
［チャンネル変換のパターンについて］
そして、この実施の形態のチャンネル変換部３においては、以下に説明するように、少なくとも４８パターンのチャンネル変換を行うことができるようにしている。図３〜図６は、この実施の形態のチャンネル変換部３において行うことができるようにされるチャンネル変換のパターンについて説明するための図である。
【００６３】
この図３〜図６においても、入力音声信号のチャンネル構成および出力チャンネル構成を［前方側チャンネルｎ／後方側チャンネル数ｍ］で示すようにしている。また、図３〜図６の各欄において、Ｌ、Ｃ、Ｒ、ＳＬ、ＳＲ、ＢＬ、ＢＲの文字が中に記載された大き目の四角は、対応する出力チャンネルに接続されたスピーカーを示している。
【００６４】
すなわち、文字Ｌは左前方チャンネルＬのスピーカーを、文字ＣはセンターチャンネルＣのスピーカーを、文字Ｒは右前方チャンネルＲのスピーカーを、文字ＳＬは左後方チャンネルＳＬのスピーカーを、文字ＳＲは右後方チャンネルＳＲのスピーカーを、また、文字ＢＬは左後方サブチャンネルＳＢＬのスピーカーを、文字ＢＲは右後方サブチャンネルＳＢＲのスピーカーをそれぞれ示している。
【００６５】
また、斜線が付された四角は入力音声信号が存在するチャンネルを示している。なお、例えば、図３の右下端の欄にあるように、文字ＳＬ、ＳＲと斜線で示され、四角で囲まれていない部分は、スピーカーが接続されたチャンネルではないが、入力音声信号が存在するチャンネルを示している。また、実線矢印は、エクステンション処理を、点線矢印はダウンミックス処理をそれぞれ示している。
【００６６】
そして、図３は、チャンネル構成が［１／０］、［２／０］、［２／２］である入力音声信号を変換して、出力チャンネル構成が［３／４］、［３／３］、［３／２］、［３／０］である信号を形成する場合のパターンを示す図である。また、図４は、チャンネル構成が［１／０］、［２／０］、［２／２］である入力音声信号を変換して、出力チャンネル構成が［２／２］、［２／４］、［２／３］、［２／０］である信号を形成する場合のパターンを示す図である。
【００６７】
また、図５は、チャンネル構成が［３／０］、［３／２］、［３／３］である入力音声信号を変換して、出力チャンネル構成が［３／４］、［３／３］、［３／２］、［３／０］である信号を形成する場合のパターンを示す図である。また、図６は、チャンネル構成が［３／０］、［３／２］、［３／３］である入力音声信号を変換して、出力チャンネル構成が［２／２］、［２／４］、［２／３］、［２／０］である信号を形成する場合のパターンを示す図である。
【００６８】
以下、図３〜図６のそれぞれごとに概要を説明する。まず、図３に示したパターンについて説明する。図３において、入力音声信号のチャンネル構成が、［１／０］の欄に示すように、入力音声信号のチャンネル構成がセンターチャンネルＣのみのモノラル音声信号である場合には、センターチャンネルＣ以外の各出力チャンネルの出力音声信号は、センターチャンネルＣの入力音声信号からエクステンション機能により形成される。
【００６９】
また、図３において、入力音声信号のチャンネル構成が［２／０］の欄に示すように、入力音声信号のチャンネル構成が左前方チャンネルＬと右前方チャンネルＲとの２チャンネルの構成である場合には、左後方チャンネルＳＬ、左後方サブチャンネルＳＢＲの出力音声信号は、左前方チャンネルＬの入力音声信号からエクステンション機能により形成され、また、右後方チャンネルＳＲ、右後方サブチャンネルＳＢＲの出力音声信号は、右前方チャンネルＲの入力音声信号からエクステンション機能により形成される。
【００７０】
また、図３において、入力音声信号のチャンネル構成が［２／０］の欄に示すように、センターチャンネルＣの出力音声信号は、左前方チャンネルＬの入力音声信号と、右前方チャンネルＲの入力音声信号とからエクステンション機能により形成される。この場合、左前方チャンネルＬの入力音声信号と右前方チャンネルＲの入力音声信号と足し合わせ、その信号レベルを２分の１にすることにより、出力チャンネルとしてのセンターチャンネルＣの音声信号が形成される。
【００７１】
すなわち、左前方チャンネルＬの入力音声信号を文字Ｌで示し、右前方チャンネルＲの入力音声信号を文字Ｒで示せば、（Ｌ＋Ｒ）／２とする演算処理を行うようにすることにより、出力チャンネルとしてのセンターチャンネルＣの音声信号が形成される。
【００７２】
また、入力音声信号のチャンネル構成が［２／０］、出力チャンネル構成が［３／３］である場合にように、リアセンターチャンネルとして用いられる左後方サブチャンネルＳＢＬが出力チャンネル構成に存在する場合には、出力チャンネルとしての左後方サブチャンネルＳＢＬの音声信号は、出力チャンネル構成におけるセンターチャンネルＣの音声信号を形成した場合と同様に、左前方チャンネルＬの入力音声信号と、右前方チャンネルＲの入力音声信号とからエクステンション機能により形成される。この場合もセンターチャンネルＣの音声信号を形成した場合と同様の処理により形成される。
【００７３】
また、図３において、入力音声信号のチャンネル構成が、［２／２］の欄に示すように、入力音声信号のチャンネル構成が左前方チャンネルＬ、右前方チャンネルＲ、左後方チャンネルＳＬ、右後方チャンネルＳＲの４チャンネル構成である場合であって、出力チャンネル構成として、左後方サブチャンネルＳＢＲと左後方サブチャンネルＳＢＲとの両方が存在する場合には、左後方サブチャンネルＳＢＲの出力音声信号は、左後方チャンネルＳＬの入力音声信号からエクステンション機能により形成され、左後方サブチャンネルＳＢＲの出力音声信号は、右後方チャンネルＳＲの入力音声信号からエクステンション機能により形成される。
【００７４】
また、入力音声信号のチャンネル構成が［２／２］、出力チャンネル構成が［３／３］のように、左後方サブチャンネルＳＢＲがリアセンターチャンネルとして出力チャンネル構成中に存在する場合には、左後方サブチャンネルＳＢＲの出力音声信号は、左後方チャンネルＳＬの入力音声信号と、右後方チャンネルＳＲの入力音声信号とからエクステンション機能により形成される。
【００７５】
この場合、左後方チャンネルＳＬの入力音声信号と右後方チャンネルＳＲの入力音声信号と足し合わせ、その信号レベルを２分の１にすることにより、出力チャンネルとしての左後方サブチャンネルＳＢＲの音声信号が形成される。すなわち、左後方チャンネルＳＬの入力音声信号を文字ＳＬで示し、右後方チャンネルＳＲの入力音声信号を文字ＳＲで示せば、（ＳＬ＋ＳＲ）／２とする演算処理を行うようにすることにより、左後方サブチャンネルＳＢＲの出力音声信号が形成される。
【００７６】
また、入力音声信号のチャンネル構成が［２／２］、出力チャンネル構成が［３／０］である場合には、入力音声信号のチャンネル構成は左後方チャンネルＳＬ、右後方チャンネルＳＲを備えているが、出力チャンネル構成においては、左後方チャンネルＳＬ、右後方チャンネルＳＲは存在しない。
【００７７】
この場合には、ダウンミックス機能により、左後方チャンネルＳＬの入力音声信号を左前方チャンネルＬの出力音声信号に混合し、右後方チャンネルＳＲの入力音声信号を右前方チャンネルＲの出力音声信号に混合して、入力音声信号を無駄なく利用できるようにしている。
【００７８】
なお、入力音声信号のチャンネル構成が［２／２］の欄に示した各パターンの場合においても、出力チャンネルにおいてのセンターチャンネルＣの音声信号は、入力音声信号のチャンネル構成が［２／０］の欄に示した各パターンの場合と同様にして形成される。
【００７９】
次に、図４に示したパターンについて説明する。図４に示す各パターンは、出力チャンネル構成において、フロントチャンネルにセンターチャンネルＣが存在せず、左前方チャンネルＬ、右前方チャンネルＲの２チャンネルの構成になっていることを除けば、図３に示した場合とほぼ同様である。
【００８０】
したがって、この図４に示す各パターンは、センターチャンネルＣの出力音声信号を形成しない点を除けば、図３に示したいずれかのパターンとほぼ同様の処理を行うことにより、図４に示した各パターンのチャンネル変換が可能であることが分かる。
【００８１】
次に、図５に示したパターンについて説明する。図５において、入力音声信号のチャンネル構成が、［３／０］、［３／２］の各欄に示すパターンの場合には、入力音声信号のチャンネル構成がセンターチャンネルＣを有するものとなっていることを除けば、図３に示したチャンネル構成が、［２／０］、［２／２］の各欄に示したパターンと同様にして、出力チャンネル構成に合致した各出力チャンネルの出力音声信号が形成される。
【００８２】
そして、図５において、入力音声信号のチャンネル構成が［３／３］、出力チャンネル構成が［３／４］である場合に、右後方サブチャンネルＳＢＲの出力チャンネルを形成する場合には、左後方サブチャンネルＳＢＬの入力音声信号から右後方サブチャンネルＳＢＲの出力音声信号が形成される。
【００８３】
また、図５において、入力音声信号のチャンネル構成が［３／３］、出力チャンネル構成が［３／２］である場合のように、入力音声信号のチャンネル構成には、リアセンターチャンネルとして用いられる左後方サブチャンネルＳＢＬの入力音声信号が存在するのに、出力チャンネル構成には、リアセンターチャンネルが存在しない場合には、リアセンターチャンネルとして用いられる左後方サブチャンネルＳＢＬの入力音声信号は、ダウンミックス機能により、左後方チャンネルＳＬの出力音声信号と、右後方チャンネルＳＲの出力音声信号とに分配され混合するようにされる。
【００８４】
また、図５において、入力音声信号のチャンネル構成が［３／３］、出力チャンネル構成が［３／０］である場合のように、入力音声信号のチャンネル構成には、後方チャンネルが存在するのに、出力チャンネル構成に後方チャンネルが存在しない場合には、ダウンミックス機能により、左後方チャンネルＳＬの入力音声信号は、左チャンネルＬの出力音声信号に混合され、右後方チャンネルＳＲの入力音声信号は、右チャンネルＲの出力音声信号に混合される。
【００８５】
この場合においても、リアセンターチャンネルとして用いられる左後方サブチャンネルＳＢＬの入力音声信号は、ダウンミックス機能により、左チャンネルＬの出力音声信号と、右チャンネルＲの出力音声信号とに分配され混合するようにされる。
【００８６】
次に、図６に示したパターンについて説明する。図６に示す各パターンは、フロントチャンネルがセンターチャンネルＣを有する３チャンネルの構成の入力音声信号を、センターチャンネルＣを用いない２チャンネルの出力チャンネル構成とするものである。
【００８７】
したがって、ダウンミックス機能を用いて、センターチャンネルＣの入力音声信号を、左前方チャンネルＬと右前方音声チャンネルＲとに混合するようにする点を除けば、図３〜図５に示したいずれかのパターンと同様にして、エクステンション機能、ダウンミックス機能が用いられて、出力チャンネル構成に合致する出力チャンネルについての出力音声信号が形成される。
【００８８】
このように、この実施の形態のチャンネル変換部３は、図３〜図６に示した４８パターンのチャンネル変換を行うことができるものである。そして、図３〜図６に示したように、入力音声信号のチャンネル構成と、出力チャンネル構成とが分かれば、どのようなチャンネル変換を行えばよいかが決まることになる。
【００８９】
そして、この実施の形態のオーディオアンプ装置においては、上述もしたように、制御部５の不揮発性メモリー５４に、入力音声信号のチャンネル構成と出力チャンネル構成とに応じて決まる多数の変換情報を記憶保持している。
【００９０】
図７は、入力音声信号のチャンネル構成と出力チャンネル構成とに応じて決まる変換情報について説明するための図である。図７に示すように、この実施の形態においては、図３〜図６に示した４８通りのチャンネル変換パターンの全部に対応するように、入力音声信号のチャンネル構成としては６通りを想定し、出力チャンネル構成としては８通りを想定して、変換情報を形成し、これを記憶保持するようにしている。
【００９１】
この変換情報は、チャンネル変換部３の３１個の増幅器のそれぞれに設定する係数がテーブル化された構成となったものである。そして、入力音声信号のチャンネル構成と出力チャンネル構成とが決まれば、チャンネル変換部３に供給する変換情報が決まることになる。
【００９２】
例えば、入力音声信号のチャンネル構成が［２／０］で、出力チャンネル構成が［３／２］の場合には、図７に太線で囲って示したように、ＴＢＬ＿２３のテーブルデータが変換情報として用いられるようにされ、入力音声信号のチャンネル構成が［３／０］で、出力チャンネル構成が［２／２］の場合には、図７に太線で囲って示したように、ＴＢＬ＿４５のテーブルデータが変換情報として用いられることになる。
【００９３】
図８は、変換情報の具体例を説明するための図である。この図８においては、上述したように、入力音声信号のチャンネル構成が［２／０］で、出力チャンネル構成が［３／２］の場合に用いられる変換情報であるＴＢＬ＿２３の内容と、入力音声信号のチャンネル構成が［３／０］で、出力チャンネル構成が［２／２］の場合に用いられる変換情報であるＴＢＬ＿４５の内容を示している。
【００９４】
図８の左側に示すように、入力音声信号のチャンネル構成が［２／０］で、出力チャンネル構成が［３／２］の場合に用いられる変換情報であるＴＢＬ＿２３は、図２に示したように構成されるチャンネル変換部３のエクステンション部３１の増幅器ＫＣＬ、ＫＲＣの係数として「０．５」を、エクステンション部３１の増幅器ＫＬＳＬ、ＫＲＳＲ、および、ダウンミックス部３２の増幅回路Ｋｆ、Ｋｃ、Ｋｓの係数として「１．０」を、これら以外の各増幅器の係数として「０（ゼロ）」を持つものである。
【００９５】
この図８の左側に示したＴＢＬ＿２３を用いた場合のチャンネル変換部３における音声信号の流れを図９に示す。図９に示すように、エクステンション部３１の増幅器ＫＣＬ、ＫＲＣには係数として「０．５」が設定され、エクステンション部３１の増幅器ＫＬＳＬ、ＫＲＳＲ、および、ダウンミックス部３２の増幅回路Ｋｆ、Ｋｃ、Ｋｓには係数として「１．０」が設定される。これ以外の各増幅器の係数は「０（ゼロ）」であるため、図９においては記載を省略している。
【００９６】
このように、チャンネル変換部３の各増幅器に対して係数を設定すると、図９において、実線で示した経路が音声信号が流れる経路となる。この場合、図９に示したように、左チャンネルＬの入力音声信号は、そのまま混合器１１、１４に供給されるとともに、係数として「０．５」が設定される増幅器ＫＬＣを通じて、信号レベルが半分にされた後に、混合器１２に供給される。
【００９７】
同様に、右チャンネルＲの入力音声信号は、そのまま混合器１３、１５に供給されるとともに、係数として「０．５」が設定される増幅器ＫＲＣを通じて、信号レベルが半分にされた後に、混合器１２に供給される。混合器１２には、信号レベルが変分にされた左前方チャンネルＬと右前方チャンネルＲとが供給され、混合処理されるので、混合器１２からは、センターチャンネルＣの出力音声信号が出力される。また、混合器１４、１５からは、左後方チャンネルＳＬ、右後方チャンネルＳＲの出力音声信号として、左前方チャンネルＬ、右前方チャンネルＲの入力音声信号がそのまま出力するようにされる。このようにして、エクステンション機能が用いられて、入力音声信号のチャンネル数よりも多いチャンネル数の音声信号が形成される。
【００９８】
ダウンミックス部３２においいては、左前方チャンネルＬと右前方チャンネルＲの増幅器Ｋｆ、センターチャンネルＣの増幅器Ｋｃ、左後方チャンネルＳＬと右後方チャンネルＳＲの増幅器Ｋｓに、係数「１．０」が設定されているので、これらから出力音声信号が出力されることになる。
【００９９】
したがって、この例の場合には、左前方チャンネルＬ、センターチャンネルＣ、右前方チャンネルＲ、左後方チャンネルＳＬ、右後方チャンネルＳＲのそれぞれに対応する出力チャンネルに出力音声信号が出力される。
【０１００】
また、図８の右側の欄に示したように、入力音声信号のチャンネル構成が［３／０］で、出力チャンネル構成が［２／２］の場合に用いられる変換情報であるＴＢＬ＿４５は、図２に示したように構成されるチャンネル変換部３のエクステンション部３１の増幅器ＫＬＳＬ、ＫＲＳＲ、および、ダウンミックス部３２の増幅回路Ｋｆ、Ｋｓの係数として「１．０」を、ダウンミックス部３２の増幅回路Ｋｃｆの係数として「０．７」を、これら以外の増幅器の係数として「０（ゼロ）」を持つものである。
【０１０１】
この図８の右側の欄に示したＴＢＬ＿４５を用いた場合のチャンネル変換部３における音声信号の流れを図１０に示す。図１０に示すように、エクステンション部３１の増幅器ＫＬＳＬ、ＫＲＳＲ、ダウンミックス部３２の増幅器Ｋｆには、係数として「０．１」が設定され、ダウンミックス部３２の増幅器Ｋｃｆには、係数として「０．７」が設定される。これ以外の各増幅器の係数は「０（ゼロ）」であるため、図１０においては記載を省略している。
【０１０２】
このように、チャンネル変換部３の各増幅器に対して係数を設定すると、図１０において、実線で示した経路が音声信号が流れる経路となる。この場合、図１０に示したように、左チャンネルＬの入力音声信号は、そのまま混合器１１、１４に供給され、センターチャンネルＣの入力音声信号は、そのまま混合器１２に供給され、また、右チャンネルＲの入力音声信号は、そのまま混合器１３、１４に供給される。このようにして、エクステンション機能が用いられて、入力音声信号のチャンネル数よりもチャンネル数の音声信号が形成される。
【０１０３】
そして、ダウンミックス部３２においいては、センターチャンネルＣの増幅器Ｋｃに係数として「０．７」設定されているので、エクステンション部３１からのセンターチャンネルＣの音声信号の信号レベルが、元の信号の７０パーセントとされて、混合器２１、２２に供給される。また、左前方チャンネルＬと右前方チャンネルＲの増幅器Ｋｆ、左後方チャンネルＳＬと右後方チャンネルＳＲの増幅器Ｋｓに、係数「１．０」が設定されている。
【０１０４】
したがって、混合器２１からは、左前方チャンネルＬの音声信号とセンターチャンネルＣの音声信号とを混合して形成した出力音声信号が出力され、混合器２２からは、右前方チャンネルＲの音声信号とセンターチャンネルＣの音声信号とを混合して形成した出力音声信号が出力される。
【０１０５】
また、混合器２３からはエクステンション部３１からの左後方チャンネルＳＬの音声信号が出力され、混合器２４からは、エクステンション部３１からの右後方チャンネルＳＲの音声が出力される。このように、ダウンミックス機能が用いられて、入力音声信号のチャンネル数よりも少ないチャンネル数の音声信号が形成される。
【０１０６】
したがって、この例の場合には、左前方チャンネルＬ、右前方チャンネルＲ、左後方チャンネルＳＬ、右後方チャンネルＳＲのそれぞれに対応する出力チャンネルに出力音声信号が出力される。
【０１０７】
なお、出力チャンネル構成が、５．１チャンネル、７．１チャンネルの構成であり、この場合の「．１」に相当するサブウーハー成分が必要な場合には、もともとの入力音声信号に含まれる低域成分を抜き出して、これを出力するようにすればよい。
【０１０８】
そして、図８に示したＴＢＬ＿２３、ＴＢＬ＿４５のように、図３〜図６に示した各変換パターンに応じて、図２のように構成されるチャンネル変換部３の各増幅器に設定する係数からなるテーブルが予め形成され、これが図７に示したように、入力音声信号のチャンネル構成と出力チャンネル構成とに対応付けられて制御部５の不揮発性メモリー５４に記憶保持される。そして、この変換情報を用いることにより、図７に示した、入力音声信号のチャンネル構成と出力チャンネル構成との組み合わせに応じて、チャンネル変換部３において、種々のチャンネル変換を行うことが可能となる。
【０１０９】
なお、図２に示したチャンネル変換部３の構成例はあくまでも構成例であり、入力音声信号のチャンネル数と出力チャンネル構成とに応じて種々の構成のチャンネル変換部を構成することが可能である。この場合、エクステンション部とダウンミックス部のチャンネル数は、同じである必要はなく、また、エクステンション部の出力チャンネル数が、ダウンミックス部の入力チャンネル数よりも多い構成とすることも可能である。
【０１１０】
また、上述した実施の形態において、チャンネル変換部３は、エクステンション部３１の後段にダウンミックス部３２を設けるようにしたが、これに限るものではない。まず、ダウンミックス部３２を設け、ダウンミックス部３２の後段にエクステンション部３１を設ける構成とすることもできる。
【０１１１】
しかし、エクステンション部３１の後段にダウンミックス部３２を設け、まず、チャンネル数を拡張するようにした後に、ダウンミックス処理を行うようにした場合には、臨場感を損なうことのないようにして、チャンネル変換を行うようにすることができる。
【０１１２】
また、上述した実施の形態においては、チャンネル変換部３のエクステンション部３１においては、入力音声信号に存在しないチャンネルの音声信号を形成する場合には、チャンネル間において音声信号を単純にコピーするようにするものとして説明したが、これに限るものではない。
【０１１３】
エクステンション部３１に音場処理アルゴリズムを適用するなどし、この音場処理の一部として、上述したようなエクステンション機能を持つようにエクステンション部３１を構成することも可能である。また、各増幅器に供給するようにする係数を細かく調整することももちろん可能である。
【０１１４】
また、出力チャンネル構成に左右されず、供給を受けた入力音声信号の実際のチャンネル構成そのままに、音声信号を再生ようにさせたいユーザーも存在することが考えられる。このようなことも考慮し、チャンネル変換部３が搭載されるオーディオアンプ装置には、ユーザーが自分の好みで、チャンネル変換部３を動作させ、チャンネル変換を行うようにするか、チャンネル変換部３は動作させないようにするかを選択できるようにしてもよい。
【０１１５】
また、上述した実施の形態においては、チャンネル変換部３は、ＤＳＰにより実現するものとして説明したが、これに限るものではない。音声データデコード部２が、Ｄ／Ａ（Ｄｉｇｉｔａｌ／Ａｎａｌｏｇ）変換機能を備えたものであり、各チャンネルの音声信号をアナログ信号として出力するものである場合には、チャンネル変換部３をアナログ回路として構成することももちろん可能である。
【０１１６】
チャンネル変換部３をアナログ回路として構成する場合には、可変増幅器や混合器を用いることにより構成することができるし、各チャンネルにスイッチを設けることにより、そのチャンネルの音声信号を後段に供給するか否かを制御することも比較的に容易である。
【０１１７】
また、図２に示したチャンネル変換部３をＩＣとして構成し、これを単独で提供するようにすることももちろん可能である。
【０１１８】
また、この実施の形態において、出力チャンネル構成は、ユーザーによって予め設定されるものとして説明したが、これに限るものではない。各出力チャンネルに微弱なテスト信号を送出し、各出力チャンネルのインピーダンスの違いや変化を検出して、スピーカーの接続された出力チャンネルとスピーカーの接続されていない出力チャンネルとを自動的に検出するチャンネル構成検出部を、例えば、チャンネル変換部３の後段などに設け、ここで検出された出力チャンネル構成を不揮発性メモリーなどの所定のメモリーに登録するようにして用いるようにしてもよい。
【０１１９】
また、別の方法として、聴取位置にマイクロホンを設置し、スピーカーからテスト音声を放音するようにし、スピーカーからのテスト音声を収音して分析する分析部を設け、この分析部によって、出力チャンネル構成とスピーカーの設置位置とを検出するようにし、この検出した出力チャンネル構成を不揮発性メモリーなどの所定のメモリーに登録して、これを用いるようにすることもできる。
【０１２０】
また、上述の実施の形態においては、この発明をオーディオアンプ装置に適用するものとして説明したが、この発明は、複数のスピーカーの接続が可能な種々の音響機器に適用できることは言うまでもない。
【０１２１】
【発明の効果】
以上説明したように、この発明によれば、入力音声信号のチャンネル構成にかかわらず、入力音声信号に応じた再生音声をセッティングされた全てのスピーカーを用いて聴取することができる。
【０１２２】
また、あらゆるチャンネル構成の入力音声信号の供給を受けて、操作性の煩わしさを伴わずにセッティングされている全てのスピーカーを用いて効果的に入力音声信号に応じた再生音声を聴取できるようにすることができる。
【０１２３】
また、チャンネルの変換機能をシンプルな音場効果を得るモードとしてオーディオアンプ装置などの音響機器に搭載することによって、音響機器の付加価値を高めることができる。
【０１２４】
また、常に全てのスピーカーから再生音声を放音させることができるので、入力音声信号のチャンネル構成と出力チャンネル構成の違いから生じる音声の放音されないスピーカーが存在しなくなり、音響機器の故障と間違うなどの不都合を生じさせないようにすることができる。
【図面の簡単な説明】
【図１】この発明の一実施の形態が適用されるオーディオアンプ装置を説明するためのブロック図である。
【図２】図１に示したチャンネル変換部の構成例を説明するための図である。
【図３】チャンネル変換のパターンを説明するための図である。
【図４】チャンネル変換のパターンを説明するための図である。
【図５】チャンネル変換のパターンを説明するための図である。
【図６】チャンネル変換のパターンを説明するための図である。
【図７】チャンネル変換部で用いられる変換情報について説明するための図である。
【図８】変換情報の具体例を説明するための図である。
【図９】図８に示したＴＢＬ＿２３を用いた場合のチャンネル変換部３における音声信号の流れを説明するための図である。
【図１０】図８に示したＴＢＬ＿４５を用いた場合のチャンネル変換部３における音声信号の流れを説明するための図である。
【符号の説明】
１…デジタルオーディオ信号の入力端子、２…音声データデコード部、３…チャンネル変換部、３１エクステンション部、３２…ダウンミックス部、４…マルチ音声チャンネルに対応したスピーカー部、５…制御部、５１…ＣＰＵ、５２…ＲＯＭ、５３…ＲＡＭ、５４…不揮発性メモリー、５５…システムバス、６…キー操作部
【図１】
2004312484.tif 000003
【図２】
2004312484.tif 000004
【図３】
2004312484.tif 000005
【図４】
2004312484.tif 000006
【図５】
2004312484.tif 000007
【図６】
2004312484.tif 000008
【図７】
2004312484.tif 000009
【図８】
2004312484.tif 000010
【図９】
2004312484.tif 000011
【図１０】
2004312484.tif 000012